(57)【特許請求の範囲】
【請求項１】
セル間協調送受信のフィードバック方法であって、
前記方法は、
基地局からの設定情報に基づいて、設定した少なくとも２つのモードにおけるモード間参照関係を確定するステップと、
フィードバックにあたり、前記モード間参照関係に基づいて、参照モードにおけるパラメータにより、現行モードにおけるパラメータを確定するステップと、
現行モードの構成に基づいて、前記現行モードにおけるパラメータが含まれるチャネル状態情報をフィードバックするステップとを備え、
前記基地局により設定した少なくとも２つのモードにおいては、各モードの設定情報は、ＰＵＣＣＨ（物理上り制御チャネル）リソース情報と、チャネル品質指標/プリコーディング・マトリックス指標/ランクの指標情報ＣＱＩ/ＰＭＩ/ＲＩサブフレーム設定情報と、ＣＱＩ/ＰＭＩ報告フォーマットと、チャネル状態情報参照信号ＣＳＩ-ＲＳリソース指標と、干渉測定リソース指標とのうちの一つまたはその組み合わせであり、
設定したモードにおいて、他のモードを参照してチャネル状態情報をフィードバックする必要がある場合、前記モードの設定情報は、ＰＭＩ参照モードの設定情報及びＲＩ参照モードの設定情報のうちの少なくとも一つをさらに含むことを特徴とするセル間協調送受信のフィードバック方法。
【請求項２】
前記設定情報には、モードインデックスが含まれ、
前記ＰＭＩ参照モードの設定情報及びＲＩ参照モードの設定情報のうちの少なくとも一つの設定情報は、
参照するモードのモードインデックス番号であるか、
または、
参照するモードのモードインデックスに対応する位置に標識つけたビットマップであることを特徴とする請求項１に記載のセル間協調送受信のフィードバック方法。
【請求項３】
前記モード間参照関係に基づいて、参照モードにおけるパラメータにより、現行モードにおけるパラメータを確定するのは、
前記設定情報にＲＩ参照モードの設定情報が含まれ、且つＲＩ参照モードが現行モードではなく、ＲＩを報告するサブフレームにおいてＲＩを報告する必要がある場合、現行モードにより報告するＲＩ値がＲＩ参照モードにおける最後一回の報告したＲＩ値と等しいことを確定して報告することを備えることを特徴とする請求項１に記載のセル間協調送受信のフィードバック方法。
【請求項４】
前記モード間参照関係に基づいて、参照モードにおけるパラメータにより、現行モードにおけるパラメータを確定するのは、
前記設定情報にＲＩ参照モードの設定情報が含まれ、且つＲＩ参照モードが現行モードではなく、ＰＭＩを報告するサブフレームにおいてＰＭＩを報告する場合、ＲＩ参照モードの最後一回の報告したＲＩに基づいて報告すべきＰＭＩを確定することを備えることを特徴とする請求項１に記載のセル間協調送受信のフィードバック方法。
【請求項５】
前記モード間参照関係に基づいて、参照モードにおけるパラメータにより、現行モードにおけるパラメータを確定するのは、
前記設定情報にＲＩ参照モードの設定情報が含まれ、且つＲＩ参照モードが現行モードではなく、さらにＣＱＩを報告するサブフレームにおいてＣＱＩを報告すべき場合、ＲＩ参照モードの最後一回の報告したＲＩに基づいて、報告すべきＣＱＩを確定することと、
前記設定情報にＰＭＩ参照モードの設定情報が含まれ、且つＰＭＩ参照モードが現行モードではなく、ＰＭＩを報告するサブフレームにおいてＰＭＩを報告する場合、ＰＭＩ値がＰＭＩ参照モードの最後一回の報告したＰＭＩ値と等しいであることを確定することと、
前記設定情報にＰＭＩ参照モードの設定情報が含まれ、且つＰＭＩ参照モードが現行モードではなく、さらにＣＱＩを報告するサブフレームにおいてＣＱＩを報告すべき場合、ＰＭＩ参照モードの最後一回の報告したＰＭＩに対応するプリコーディング・マトリックスに基づいて、報告すべきＣＱＩを確定することとを備えることを特徴とする請求項１に記載のセル間協調送受信のフィードバック方法。
【請求項６】
前記モード間参照関係に基づいて、参照モードにおけるパラメータにより、現行モードにおけるパラメータを確定するのは、
前記設定情報にＲＩ参照モードの設定情報が含まれ、且つＲＩ参照モードが現行モードではない場合、現行モードがＲＩを報告しないか、または現行モードにより報告するＲＩ値はＲＩ参照モードにおける最後一回の報告したＲＩ値と等しいであり、且つ現行モードは、ＲＩ参照モードにおける最後一回の報告したＲＩ値に基づいてＰＭＩ及びＣＱＩを確定し、
前記設定情報にＰＭＩ参照モードの設定情報が含まれ、且つＰＭＩ参照モードが現行モードではない場合、現行モードはＰＭＩを報告しないか、または現行モードにより報告するＰＭＩ値はＰＭＩ参照モードにおける最後一回の報告したＰＭＩ値と等しく、且つ現行モードは、ＰＭＩ参照モードにおける最後一回の報告したＰＭＩ値に基づいてＣＱＩを確定することを備え、
前記現行モードが、ＲＩ参照モードにおける最後一回の報告したＲＩ値に基づいて、ＰＭＩ及びＣＱＩを確定するのは、
前記設定情報にＰＭＩ参照モードの設定情報が含まれないか、またはＰＭＩ参照モードが現行モードである場合、ＲＩ参照モードまたは現行モードの最後一回の報告したＲＩ値、干渉測定リソースにおいて推測した干渉及び現行モードに対応するＣＳＩ-ＲＳリソースにおいて推測したチャネル状態情報に基づいて、現行モードにおける報告すべきＰＭＩを確定し、現行モードの最後一回の報告したＰＭＩ値、干渉測定リソースにおいて推測した干渉及び現行モードに対応するＣＳＩ-ＲＳリソースにおいて推測したチャネル状態情報に基づいて、現行モードにおける報告すべきＣＱＩを確定することを備えることを特徴とする請求項２に記載のセル間協調送受信のフィードバック方法。
【請求項７】
セル間協調送受信のフィードバック方法であって、
前記方法は、
ユーザー端末へ設定情報を送信し、前記設定情報には、設定した少なくとも２つのモードにおけるモード間参照関係が含まれるステップと、
前記ユーザー端末からのフィードバックにあたり、現行モードの構成に基づいて行った前記現行モードにおけるパラメータが含まれるチャネル状態情報のフィードバック、または前記現行モードにおけるパラメータ及び現行モードの参照モードにおけるパラメータが含まれるチャネル状態情報のフィードバックを受信するステップと、
前記現行モードでフィードバックするパラメータ、または前記現行モードでフィードバックするパラメータ及び現行モードにおける参照モードでフィードバックするパラメータに基づいて、チャネル状態情報を確定するステップと備え、
前記ユーザー端末へ送信する設定情報のうち、各モードの設定情報は、ＰＵＣＣＨ（物理上り制御チャネル）リソース情報と、チャネル品質指標/プリコーディング・マトリックス指標/ランクＣＱＩ/ＰＭＩ/ＲＩサブフレーム設定情報と、ＣＱＩ/ＰＭＩ報告フォーマットと、チャネル状態情報参照信号ＣＳＩ-ＲＳリソース指標と、干渉測定リソース指標とのうちの一つまたはその組み合わせであり、
設定したモードにおいて、他のモードを参照してチャネル状態情報をフィードバックする必要がある場合、前記モードの設定情報は、ＰＭＩ参照モードの設定情報及びＲＩ参照モードの設定情報のうちの少なくとも一つをさらに含むことを特徴とするセル間協調送受信のフィードバック方法。
【請求項８】
前記設定情報には、モードインデックスが含まれ、
前記ＰＭＩ参照モードの設定情報及びＲＩ参照モードの設定情報のうちの少なくとも一つの設定情報は、
参照するモードのモードインデックス番号であるか、
または、
参照するモードのモードインデックスに対応する位置に標識つけたビットマップであることを特徴とする請求項７に記載のセル間協調送受信のフィードバック方法。
【請求項９】
前記現行モードでフィードバックするパラメータ、または前記現行モードでフィードバックするパラメータ及び現行モードにおける参照モードでフィードバックするパラメータに基づいて、チャネル状態情報を確定するのは、
現行モードの設定情報にＲＩ参照モードの設定情報が含まれ、且つ前記参照モードが現行モードではない場合、現行モードにおける報告するＰＭＩ及びＣＱＩが、ＲＩ参照モードにおける最後一回の報告したＲＩ値に基づいて確定した事を確定し、
現行モードにおいてＰＭＩを報告する場合、前記チャネル状態情報に、現行モードにおいて報告するＰＭＩ及びＲＩ参照モードにおける最後一回の報告したＲＩ値が含まれることを確定し、
現行モードにおいてＣＱＩを報告し、且つ現行モードにおいて報告するＣＱＩが、ＲＩ参照モードにおける最後一回の報告したＲＩ値に基づいて確定される場合、前記チャネル状態情報に、現行モードにおいて報告するＣＱＩ及びＲＩ参照モードにおける最後一回の報告したＲＩ値が含まれることを確定し、
現行モードにおいてＣＱＩを報告し、且つ現行モードにおいて報告するＣＱＩが、ＲＩ参照モードにおける最後一回の報告したＲＩ値及び現行モードの最後一回の報告したＰＭＩに基づいて確定される場合、前記チャネル状態情報に、現行モードにおいて報告するＣＱＩ、現行モードの最後一回の報告したＰＭＩ及びＲＩ参照モードにおける最後一回の報告したＲＩ値が含まれることを確定し、
現行モードの設定情報にＰＭＩ参照モードの設定情報が含まれ、且つ参照するモードが現行モードではない場合、現行モードにおいて報告するＣＱＩが、ＰＭＩ参照モードにおける最後一回の報告したＰＭＩ値に基づいて確定されることを確定し、前記チャネル状態情報に、現行モードにおいて報告するＣＱＩ及びＰＭＩ参照モードにおける最後一回の報告したＰＭＩ値が含まれることを確定することを備えることを特徴とする請求項８に記載のセル間協調送受信のフィードバック方法。
【請求項１０】
セル間協調送受信のフィードバック装置であって、
前記装置は、
基地局からの設定情報に基づいて、設定した少なくとも２つのモードにおけるモード間参照関係を確定する参照関係確定ユニットと、
フィードバックにあたり、前記モード間参照関係に基づいて、参照モードにおけるパラメータにより、現行モードにおけるパラメータを確定するパラメータ確定ユニットと、
現行モードの構成に基づいて、前記現行モードにおけるパラメータが含まれるチャネル状態情報をフィードバックするフィードバックユニットとを備え、
前記基地局により設定した少なくとも２つのモードにおいては、各モードの設定情報は、ＰＵＣＣＨ（物理上り制御チャネル）リソース情報と、チャネル品質指標/プリコーディング・マトリックス指標/ランクＣＱＩ/ＰＭＩ/ＲＩサブフレーム設定情報と、ＣＱＩ/ＰＭＩ報告フォーマットと、チャネル状態情報参照信号ＣＳＩ-ＲＳリソース指標と、干渉測定リソース指標とのうちの、一つまたはその組み合わせであり、
設定したモードにおいて、他のモードを参照してチャネル状態情報をフィードバックする必要がある場合、前記モードの設定情報は、ＰＭＩ参照モードの設定情報及びＲＩ参照モードの設定情報のうちの少なくとも一つをさらに含むことを特徴とするセル間協調送受信のフィードバック装置。
【請求項１１】
前記設定情報には、モードインデックスがさらに含まれ、
前記ＰＭＩ参照モードの設定情報及びＲＩ参照モードの設定情報のうちの少なくとも一つの設定情報は、
参照するモードのモードインデックス番号であるか、
または、
参照するモードのモードインデックスに対応する位置に標識つけたビットマップであることを特徴とする請求項１０に記載のセル間協調送受信のフィードバック装置。
【請求項１２】
前記パラメータ確定ユニットは、
前記設定情報にＲＩ参照モードの設定情報が含まれ、且つＲＩ参照モードが現行モードではなく、ＲＩを報告するサブフレームにおいてＲＩを報告する必要がある場合、現行モードにより報告するＲＩ値がＲＩ参照モードにおける最後一回の報告したＲＩ値と等しいことを確定して報告し、
前記設定情報にＲＩ参照モードがの設定情報含まれ、且つＲＩ参照モードが現行モードではなく、ＰＭＩを報告するサブフレームにおいてＰＭＩを報告する場合、ＲＩ参照モードの最後一回の報告したＲＩに基づいて報告すべきＰＭＩを確定することを特徴とする請求項１０に記載のセル間協調送受信のフィードバック装置。
【請求項１３】
前記パラメータ確定ユニットは、
前記設定情報にＲＩ参照モードの設定情報が含まれ、且つＲＩ参照モードが現行モードではない場合、現行モードがＲＩを報告しないか、または現行モードにより報告するＲＩ値はＲＩ参照モードにおける最後一回の報告したＲＩ値と等しいであり、且つ現行モードは、ＲＩ参照モードにおける最後一回の報告したＲＩ値に基づいてＰＭＩ及びＣＱＩを確定し、
前記設定情報にＰＭＩ参照モードの設定情報が含まれ、且つＰＭＩ参照モードが現行モードではない場合、現行モードはＰＭＩを報告しないか、または現行モードにより報告するＰＭＩ値はＰＭＩ参照モードにおける最後一回の報告したＰＭＩ値と等しく、且つ現行モードは、ＰＭＩ参照モードにおける最後一回の報告したＰＭＩ値に基づいてＣＱＩを確定し、
前記設定情報にＲＩ参照モードの設定情報が含まれず、またはＲＩ参照モードが現行モードである場合、モードに対応するＣＳＩ-ＲＳリソースにおいて推測したチャネル状態情報及び干渉測定リソースにおいて推測した干渉に基づいて、現行モードにおける報告すべきＲＩを確定することを特徴とする請求項１１に記載のセル間協調送受信のフィードバック装置。
【発明の詳細な説明】
【技術分野】
【０００１】
本出願は通信技術に関し、特にセル間協調送受信のフィードバック方法、装置及びシステムに関する。
【背景技術】
【０００２】
本出願は、２０１２年６月１１日に中国特許局に提出し、出願番号が２０１２１０１９２００４.５であり、発明名称が「セル間協調送受信のフィードバック方法、装置及びシステム」と、２０１２年10月１１日に中国特許局に提出し、出願番号が２０１２１０３８４４９０.０であり、発明名称が「セル間協調送受信のフィードバック方法、装置及びシステム」との中国特許出願を基礎とする優先権を主張し、その開示の総てをここに取り込む。
【０００３】
ロング・ターム・エボリューション・アドバンスト（ＬＴＥ-Ａ，Ｌｏｎｇ-Ｔｅｒｍ Ｅｖｏｌｕｔｉｏｎ-Ａｄｖａｎｃｅｄ）システムには、同一周波数の網構築が作用されるため、スペクトル利用率が大幅に向上される一方、セル周辺ユーザー信号がひどく衰弱される同時に、他のセルからの強い干渉も受ける。信号衰弱及び干渉問題を解決しないと、周辺ユーザーの体験に大きく影響を及ぼす。
【０００４】
セル間協調送受信（ＣｏＭＰ，Ｃｏｏｒｄｉｎａｔｅｄ Ｍｕｌｔｉｐｌｅ Ｐｏｉｎｔ ｔｒａｎＳｍｉＳＳｉｏｎ/ｒｅｃｅｐｔｉｏｎ）技術は、マルチセル間の情報交換及びジョイント伝送の導入により、信号品質を高める同時にセル間の干渉を低減させるため、セル周辺ユーザーのデータ伝送機能を大幅に向上できる。
【０００５】
現在のセル間協調送受信案は、ＤＰＳ（Ｄyｎａｍｉｃ Ｐｏｉｎｔ ＳｅＬｅｃｔｉｏｎ）、ＤＰＢ （Ｄyｎａｍｉｃ Ｐｏｉｎｔ ＢＬａｎｋｉｎｇ）、ＣＳ/ＣＢ（Ｃｏｏｒｄｉｎａｔｅｄ Ｓｃhｅｄｕｌｉｎｇ/Ｂｅａｍｆｏｒｍｉｎｇ）及びジョイント伝送（Ｊｏｉｎｔ ＴｒａｎＳｍｉｓｓｉｏｎ）との４つの基本案に分けられる。実際の応用の場合、４つの案の混合案であってもよい。例えば、ＤＰＳとＣＳ/ＣＢとの結合、動的な選択による主伝送ポイントの確定、主伝送ポイント以外の協調伝送ポイントの間、ジョイントスケジューリングにより協調ビーム成形を実施するなど。実際のシステムにおいて、１つの伝送モードには、複数の伝送案が含まれるため、各種類の伝送案間の切り替えをサポートできる。伝送機能及びシステムの安定性をよりよく確保するため、ＣｏＭＰ伝送をサポートする伝送モードは、単一ポイント伝送への切り替えをサポートする必要がある。
【０００６】
システムは、異なるチャネル状態情報参照信号（ＣＳＩ-ＲＳ，Ｃhａｎｎｅｌ Ｓｔａｔｅ Ｉｎｆｏｒｍａｔｉｏｎ-Ｒｅｆｅｒｅｎｃｅ ＳｉｇｎａＬ）、またはセル特定参照信号（ＣＲＳ，Ｃｅｌｌ-Ｓｐｅｃｉｆｉｃ Ｒｅｆｅｒｅｎｃｅ ＳｉｇｎａＬ）を設定することにより、ユーザー装置（UＥ，UＳｅｒ Ｅqｕｉｐｍｅｎｔ，ユーザー端末とも呼ばれる）が、各伝送ポイントのダウンリンクチャネルを伝送できるようになる。ただし、当該伝送ポイントは、１つの物理伝送ポイントではなく、１つの仮想伝送ポイントである可能性があり、各仮想伝送ポイントが１つのＣＳＩ-ＲＳリソースと対応し、各仮想伝送ポイントは、１つまたは複数の物理伝送ポイントにより構成される。
【０００７】
ダウンリンクチャネル測定を実現した後、伝送案に必要となったチャネル状態情報（ＣＳＩ）に基づいて情報計算及びフィードバックを行う。各種類の伝送案は、対応するチャネル状態情報からのサポートが必要となる。例えば、ＤＰＳ伝送案には、複数の伝送ポイントのチャネル状態情報をフィードバックするか、またはある１つの伝送ポイントのチャネル状態情報及び当該伝送ポイントに対応する指標情報をフィードバックする。ＤＰＢ技術を取り組んだＤＰＳ伝送案において、複数の干渉仮説状況のチャネル品質情報をフィードバックする必要がある。ＪＴ伝送案には、複数の伝送ポイントで同一のランク（Ｒａｎｋ）のＣＳＩなどをフィードバックする必要がある。測定集合とは、UＥがチャネル状態情報測定を行う伝送ポイントの集合であるか、または参照信号リソース集合である。各参照信号リソースが１つまたは複数の伝送ポイントを示し、測定集合が２つの伝送ポイント（ＴＰ）を含む例を挙げ、各種類案に必要となるチャネル状態情報は、表１に示すようである。
【０００８】
【表１】
0005976207.tif 000002
【０００９】
ここで、ＣＱＩ１（ＣhａｎｎｅＬ ｑｕａｌｉｔy ｉｎｄｉｃａｔｏｒ）の計算には、信号がＴＰ１から送信され、信号が伝送するＰＭＩ（Ｐｒｅｃｏｄｉｎｇ Ｍａｔｒｉx Ｉｎｄｉｃａｔｏｒ）及びＲＩ（ランクの指標情報）がＲＩ１/ＰＭＩ１であると仮説し、ＲＩ１/ＰＭＩ１がＴＰ１からUＥまでのチャネルにより算出できる。ＴＰ２から他のユーザーへの信号は、ＲＩ１/ＰＭＩ１へに影響を与える。
【００１０】
ＣＱＩ２の計算には、信号がＴＰ１から送信され、信号が伝送するＰＭＩとＲＩがＲＩ２/ＰＭＩ２であると仮説し、ＲＩ２/ＰＭＩ２は、ＴＰ１からUＥへのチャネルにより算出できる。ＴＰ２は、関連するリソースにおいていかなるユーザーもスケジューリングしないため、ＲＩ２/ＰＭＩ２へ干渉を与えない。
【００１１】
ＣＱＩ３の計算には、信号がＴＰ２から送信され、信号が伝送するＰＭＩとＲＩがＲＩ３/ＰＭＩ３であると仮説し、ＲＩ３/ＰＭＩ３は、ＴＰ２からUＥへのチャネルにより算出できる。ＴＰ１から他のユーザーへの信号は、ＲＩ３/ＰＭＩ３へ干渉を与える。
【００１２】
ＣＱＩ４の計算には、信号がＴＰ２から送信され、信号が伝送するＰＭＩとＲＩがＲＩ４/ＰＭＩ４であると仮説し、ＲＩ４/ＰＭＩ４は、ＴＰ２からUＥへのチャネルにより算出できる。ＴＰ１は、関連するリソースにおいていかなるユーザーもスケジューリングしないため、ＲＩ４/ＰＭＩ４へ干渉を与えない。
【００１３】
ＣＱＩ５の計算には、信号がＴＰ１とＴＰ２から同時に送信され、ＴＰ１信号が伝送するＰＭＩとＲＩがＲＩ５/ＰＭＩ５であると仮説し、ＲＩ６/ＰＭＩ６は、ＴＰ２からUＥへのチャネルにより算出できる。ＴＰ１とＴＰ２ともにUＥへデータを伝送するため、干渉を起こさない。
【００１４】
ＣＱＩ１/ＲＩ１/ＰＭＩ１とＣＱＩ２/ＲＩ２/ＰＭＩ２ともに、信号がＴＰ１から送信されると仮設されるが、ただしＴＰ２がUＥへ干渉を与えるかが相違点となり、即ち、二つ異なる干渉仮説に対応する。このような場合、ＲＩ１=ＲＩ２、ＰＭＩ１=ＰＭＩ２とすることにより、UＥはＣＱＩ１/ＲＩ１/ＰＭＩ１及びＣＱＩ２のみをフィードバックし、ＲＩ２/ＰＭＩ２フィードバックのオーバーヘッドが節約できる。同様に、ＲＩ３=ＲＩ４、ＰＭＩ３=ＰＭＩ４とすることにより、ＲＩ４/ＰＭＩ４フィードバックのオーバーヘッドが節約できる。さらに、ＲＩ５=ＲＩ１、ＰＭＩ５=ＰＭＩ１、ＲＩ６=ＲＩ３、ＰＭＩ６=ＰＭＩ３とすることもできる。また、ＣＱＩ５は、ＪＴ伝送をサポートすることに目的とする。ＪＴ伝送には、２つの伝送ポイントが伝送するデータの層数が同じであることが必要とし、即ち、ＲＩ５=ＲＩ６である。前述の機能を実現するため、報告する各伝送ポイントの各種のチャネル情報の間に、依存関係を導入しなければならない。
【発明の概要】
【発明が解決しようとする課題】
【００１５】
複数のＣｏＭＰ伝送案の動的切換をサポートするため、UＥは、１つまたは複数の伝送ポイントに１つまたは複数の異なる干渉仮説に基づくＣＱＩ/ＰＭＩ/ＲＩ値が含まれるチャネル情報をフィードバックしなければならない。ＣｏＭＰを実現するためのＣＳＩフィードバック方法は、下記の２つがある。
【００１６】
〈方法１〉
新しいフィードバックモード（即ち、報告モード）を設計し、全ての情報を同一のモードに揃えて報告する。即ち、報告周期及びサブフレームシフトを一括に設定して、全てのコンテンツを一定の順番で基地局へ報告する。当該案のメリットとして、各種の報告コンテンツ間の依存関係が容易に導入されるが、柔軟性が落ちている。よって、測定集合内の伝送ポイント数と、フィードバックするコンテンツと、設定した依存関係とのいずれかが変化すれば、フィードバックモードもそれに応じて変化する。言い換えれば、各種の可能な状況を考えでフィードバックモードを設計する。
【００１７】
〈方法２〉
報告する必要がある情報を複数のフィードバックモードに分散させ、各フィードバックモードに報告周期、サブフレームシフトなどのパラメータを独立的に設定する。しかし、当該方法には、コンテンツ間の依存関係の報告が容易に導入できず、特に依存関係があるコンテンツが異なる報告モードに分散される場合、さらに難しくなる。
【００１８】
本出願に係る実施例は、セル間協調送受信のフィードバック方法、装置及びシステムを提供し、複数のフィードバックモード間に依存関係があるようにすることを実現する。
【課題を解決するための手段】
【００１９】
本発明にかかるセル間協調送受信のフィードバック方法は、基地局からの設定情報に基づいて、設定した少なくとも２つのモードにおけるモード間参照関係を確定するステップと、フィードバックにあたり、前記モード間参照関係に基づいて、参照モードにおけるパラメータにより、現行モードにおけるパラメータを確定するステップと、現行モードの構成に基づいて、前記現行モードにおけるパラメータが含まれるチャネル状態情報をフィードバックする。
【００２０】
本発明にかかるセル間協調送受信のフィードバック方法は、
ユーザー端末へ設定情報を送信し、前記設定情報には、設定した少なくとも２つのモードにおけるモード間参照関係が含まれるステップと、
前記ユーザー端末からのフィードバックにあたり、現行モードの構成に基づいて行った前記現行モードにおけるパラメータが含まれるチャネル状態情報のフィードバック、または前記現行モードにおけるパラメータ及び現行モードの参照モードにおけるパラメータが含まれるチャネル状態情報のフィードバックを受信するステップと、
前記現行モードでフィードバックするパラメータ、または前記現行モードでフィードバックするパラメータ及び現行モードにおける参照モードでフィードバックするパラメータに基づいて、チャネル状態情報を確定する。
【００２１】
本発明にかかるセル間協調送受信のフィードバック装置は、
基地局からの設定情報に基づいて、設定した少なくとも２つのモードにおけるモード間参照関係を確定する参照関係確定ユニットと、
フィードバックにあたり、前記モード間参照関係に基づいて、参照モードにおけるパラメータにより、現行モードにおけるパラメータを確定するパラメータ確定ユニットと、
現行モードの構成に基づいて、前記現行モードにおけるパラメータが含まれるチャネル状態情報をフィードバックするフィードバックユニットとを備える。
【００２２】
本発明にかかるセル間協調送受信の周期性フィードバック装置は、
ユーザー端末へ設定情報を送信し、前記設定情報には、設定した少なくとも２つのモードにおけるモード間参照関係が含まれる設定ユニットと、
前記ユーザー端末からのフィードバックにあたり、現行モードの構成に基づいて行った前記現行モードにおけるパラメータが含まれるチャネル状態情報のフィードバック、または前記現行モードにおけるパラメータ及び現行モードの参照モードにおけるパラメータが含まれるチャネル状態情報のフィードバックを受信する受信ユニットと、
前記現行モードでフィードバックするパラメータ、または前記現行モードでフィードバックするパラメータ及び現行モードにおける参照モードでフィードバックするパラメータに基づいて、チャネル状態情報を確定する確定ユニットとを備える。
【００２３】
本発明にかかるセル間協調送受信のフィードバックシステムは、基地局と、ユーザー端末とを備え、
前記ユーザー端末は、基地局からの設定情報に基づいて、設定した少なくとも２つのモードにおけるモード間参照関係を確定し、フィードバックにあたり、前記モード間参照関係に基づいて、参照モードにおけるパラメータにより、現行モードにおけるパラメータを確定し、
現行モードの構成に基づいて、前記現行モードにおけるパラメータが含まれるチャネル状態情報をフィードバックし、
前記基地局は、
ユーザー端末へ設定情報を送信し、前記設定情報には、設定した少なくとも２つのモードにおけるモード間参照関係が含まれ、
前記ユーザー端末からのフィードバックにあたり、現行モードの構成に基づいて行った前記現行モードにおけるパラメータが含まれるチャネル状態情報のフィードバック、または前記現行モードにおけるパラメータ及び現行モードの参照モードにおけるパラメータが含まれるチャネル状態情報のフィードバックを受信し、
前記現行モードでフィードバックするパラメータ、または前記現行モードでフィードバックするパラメータ及び現行モードにおける参照モードでフィードバックするパラメータに基づいて、チャネル状態情報を確定する。
【発明の効果】
【００２４】
本出願に係る実施例は、セル間協調送受信のフィードバック方法、装置及びシステムを提供する。本発明によれば、基地局からの設定情報に基づいて、設定した少なくとも２つのモードにおけるモード間参照関係を確定し、モード間参照関係に基づいて、参照モードにおけるパラメータにより、現行モードにおけるパラメータを確定することにより、複数の異なる干渉仮説のＣＱＩ間に、ＰＭＩ/ＲＩ情報を共有することを実現し、以及異なる伝送ポイント間のＲＩ情報共有も実現する。これにより、複数のフィードバックモード間に依存関係があるようになる。
【図面の簡単な説明】
【００２５】
【図１】図１は本出願に係る実施例のセル間協調送受信のフィードバック方法のフローチャート之一である。
【図２】本出願に係る実施例の、実施例１に対応するモード間の依存関係を示す図である。
【図３】本出願に係る実施例の、実施例１に対応するモード間の依存関係を示す図である。
【図４】本出願に係る実施例の、実施例２に対応するモード間の依存関係を示す図である。
【図５】本出願に係る実施例の、実施例２に対応するモード間の依存関係を示す図である。
【図６】図６は本出願に係る実施例の、実施例３に対応するモード間の依存関係を示す図である。
【図７】図７は本出願に係る実施例の、実施例４に対応するモード間の依存関係を示す図である。
【図８】図８は本出願に係る実施例の、セル間協調送受信のフィードバック方法のフローチャート２である。
【図９】図９は本出願に係る実施例の、セル間協調送受信のフィードバック装置の構造図である。
【図１０】図１０は本出願に係る実施例のセル間協調送受信のフィードバック装置の構造図２である。
【図１１】図１１は本出願に係る実施例の、セル間協調送受信のフィードバックシステムの構造図である。
【発明を実施するための形態】
【００２６】
本出願に係る実施例の、セル間協調送受信のフィードバック方法、装置及びシステムは、基地局からの設定情報に基づいて、設定した少なくとも２つのモードにおけるモード間参照関係を確定し、モード間参照関係に基づいて、参照モードにおけるパラメータにより、現行モードにおけるパラメータを確定する。これにより、複数の異なる干渉仮説のＣＱＩ間に、ＰＭＩ/ＲＩ情報を共有することを実現し、且つ異なる伝送ポイント間のＲＩ情報共有も実現する。そして、複数のフィードバックモード間に依存関係があるようになる。
【００２７】
図１に示すように、本出願に係る実施例のセル間協調送受信のフィードバック方法は、ステップＳ１０１と、ステップＳ１０２と、ステップＳ１０３とを備える。
上記ステップＳ１０１において、基地局からの設定情報に基づいて、設定した少なくとも２つのモードにおけるモード間参照関係を確定する。
上記ステップＳ１０２において、フィードバックにあたり、モード間参照関係に基づいて、参照モードにおけるパラメータにより、現行モードにおけるパラメータを確定する。
上記ステップＳ１０３において、現行モードの構成に基づいて、現行モードにおけるパラメータを含むチャネル状態情報をフィードバックする。
【００２８】
本発明に係る実施例における「モード」は、「報告モード」である。且つ、「報告モード」は、「フィードバックモード」である。
【００２９】
ここで、基地局により設定した少なくとも２つのモードにおいては、各モードの設定情報は、下記の一つまたはその組み合わせを含む。
【００３０】
ＰUＣＣHリソース情報、ＣＱＩ/ＰＭＩ/ＲＩサブフレーム設定情報、ＣＱＩ/ＰＭＩ報告フォーマット、ＣＳＩ-ＲＳリソース指標、干渉測定リソース指標。
【００３１】
設定したモードが他のモードを参照してチャネル状態情報をフィードバックする必要がある場合、当該モードの設定情報は、ＰＭＩ参照モードの設定情報及びＲＩ参照モードの設定情報のうちの少なくとも一つをさらに含む。
【００３２】
ＰＭＩ参照モード及びＲＩ参照モードのうちの少なくとも一つを容易に設定させるため、設定情報に各モードのモードインデックスを設定することができる。このとき、ＰＭＩ参照モードの設定情報及びＲＩ参照モードの設定情報のうちの少なくとも一つの設定情報は、具体的には、参照するモードのモードインデックス番号、または参照するモードのモードインデックスに対応する位置に標識つけたビットマップである。
【００３３】
具体的に、基地局により設定した少なくとも２つのモードにおいては、各モードの設定情報は、下記の一つまたはその組み合わせを含む。
【００３４】
ＰUＣＣHリソース情報は、UＥがどちらのＰUＣＣHリソースを占有して報告するのかを示す。
【００３５】
ＣＱＩ/ＰＭＩ/ＲＩサブフレーム設定情報は、UＥがどちらのサブフレームにおいて報告するのかを示す。例えば、報告周期及びサブフレームシフト値を示す。
【００３６】
ＣＱＩ/ＰＭＩ報告フォーマットは、指標UＥが広帯域ＣＱＩ/ＰＭＩ、またはサブバンドＣＱＩ/ＰＭＩを報告することを示す。
【００３７】
ＣＳＩ-ＲＳリソース指標は、UＥにより信号部分に対して測定するＣＳＩ-ＲＳリソースを示す。１つのＣＳＩ-ＲＳリソースであってもよいし、または複数のＣＳＩ-ＲＳリソースであってもよい。
【００３８】
干渉測定リソース指標は、UＥがどちらのリソースにおいて干渉を測定するかを示す。
【００３９】
モードインデックスは、現在設定するモードのインデックス値を示す。１つのUＥのために設定した各報告モードは、唯一のインデックス値を有する。一般的に、インデックス値の範囲を、０~N-１にすることができ、ここで、Nは、設定できる報告モードの最大数である。
【００４０】
ＰＭＩ参照モードリストは、現行モードにより報告するＣＱＩがどちらの報告モードにより報告したＰＭＩに基づいて算出したのかを示す。具体的に、長さがNであるビットマップの形式で示すことができる。例えば、ビットマップの第ｋ位（０から番号付ける）を１に設定すれば、UＥが、報告モードインデックス値がｋである報告モードの最後一回の報告のＰＭＩに基づいてＣＱＩを算出することを示す。インデックス値方式で示すこともできる。即ち、UＥが、インデックス値がｋである報告モードの最後一回の報告のＰＭＩに基づいてＣＱＩを算出することを、UＥに直接通知する。ＰＭＩ参照モードは、現行モードであってもよい。もしＰＭＩ参照モードを設定しない場合、ＰＭＩ参照モードを現行モードとしてデフォルトする。
【００４１】
ＲＩ参照モードは、現行モードにより報告するＰＭＩ/ＣＱＩがどちらのモード報告のＲＩに基づいて算出したのかを示す。例えば、ＲＩ参照モードがｋである場合、UＥは、モードインデックスがｋである報告モードにおける最後一回の報告したＲＩに基づいてＰＭＩ及びＣＱＩを算出しなければならない。ＲＩ参照モードは、現行モードであってもよい。ＲＩ参照モードを設定しない場合、ＲＩ参照モードを現行モードとしてデフォルトする。当該モードがＰＭＩ報告を有するか、またはＰＭＩ参照モードが設定されている場合、ＣＱＩは、当該モードの最後一回の報告したＰＭＩ、または参照モードの最後一回の報告したＰＭＩに基づいて算出される（計算の場合基づくＲＩは、ＰＭＩにより暗示的に確定することができる。即ち、ＣＱＩ計算の場合に基づくＲＩは、ＰＭＩ計算の場合基づくＲＩと同一であり、UＥは、ＲＩ参照モードの設定を無視するか、またはＲＩ参照モードを設定しない）。
【００４２】
ステップＳ１０２において、UＥモード間参照関係に基づいて、参照モードにおけるパラメータにより、現行モードにおけるパラメータを確定する事は、詳しく以下のようになる。
【００４３】
当設定情報にはＲＩ参照モードの設定情報が含まれ、且つＲＩ参照モードは現行モードではなく、さらに、ＲＩを報告するサブフレームにおいてＲＩを報告する必要がある場合、現行モードにより報告するＲＩ値がＲＩ参照モードにおける最後一回の報告したＲＩ値と等しいことを確定して報告する。
【００４４】
設定情報にＲＩ参照モードの設定情報が含まれ、且つＲＩ参照モードが現行モードではなく、さらに、ＰＭＩを報告するサブフレームにおいてＰＭＩを報告する場合、ＲＩ参照モードの最後一回の報告したＲＩに基づいて報告すべきＰＭＩを確定する。
【００４５】
設定情報にＲＩ参照モードの設定情報が含まれ、且つＲＩ参照モードが現行モードではなく、さらに、ＰＭＩを報告するサブフレームにおいてＰＭＩを報告する場合、設定情報にＰＭＩ参照モードの設定情報が含まれず、またはＰＭＩ参照モードが現行モードであれば、ＲＩ参照モードの最後一回の報告したＲＩ値、干渉測定リソースにおいて推測した干渉及び現行モードに対応するＣＳＩ-ＲＳリソースにおいて推測したチャネル状態情報に基づいて、現行モードにおける報告すべきＰＭＩを確定する。
【００４６】
設定情報にＲＩ参照モードの設定情報が含まれ、且つＲＩ参照モードが現行モードではなく、さらにＣＱＩを報告するサブフレームにおいてＣＱＩを報告すべき場合、ＲＩ参照モードの最後一回の報告したＲＩに基づいて報告すべきＣＱＩを確定することができる。
【００４７】
設定情報にＲＩ参照モードの設定情報が含まれ、且つＲＩ参照モードが現行モードではなく、さらにＣＱＩを報告するサブフレームにおいてＣＱＩを報告すべき場合、現行モードの最後一回の報告したＲＩ値、干渉測定リソースにおいて推測した干渉及び現行モードに対応するＣＳＩ-ＲＳリソースにおいて推測したチャネル状態情報に基づいて、現行モードにおける報告すべきＣＱＩを確定することもできる。
【００４８】
設定情報にＲＩ参照モードの設定情報が含まれ、且つＲＩ参照モードが現行モードではなく、さらにＣＱＩを報告するサブフレームにおいてＣＱＩを報告すべき場合、ＲＩ参照モードにおける最後一回の報告したＲＩ値、現行モードの最後一回の報告したＰＭＩ、干渉測定リソースにおいて推測した干渉及び現行モードに対応するＣＳＩ-ＲＳリソースにおいて推測したチャネル状態情報に基づいて、現行モードにおける報告すべきＣＱＩを確定することもできる。
【００４９】
設定情報にＰＭＩ参照モードの設定情報が含まれ、且つＰＭＩ参照モードが現行モードではなく、ＰＭＩを報告するサブフレームにおいてＰＭＩを報告する場合、ＰＭＩ値がＰＭＩ参照モードの最後一回の報告したＰＭＩ値と等しいことを確定する。
【００５０】
設定情報にＰＭＩ参照モードの設定情報が含まれ、且つＰＭＩ参照モードが現行モードではなく、さらにＣＱＩを報告するサブフレームにおいてＣＱＩを報告すべき場合、ＰＭＩ参照モードの最後一回の報告したＰＭＩに対応するプリコーディング・マトリックスに基づいて、報告すべきＣＱＩを確定する。
【００５１】
即ち、設定情報にＲＩ参照モードの設定情報が含まれ、且つＲＩ参照モードが現行モードではない場合、現行モードがＲＩを報告しないか、または現行モードにより報告するＲＩ値はＲＩ参照モードにおける最後一回の報告したＲＩ値と等しいであり、且つ現行モードは、ＲＩ参照モードにおける最後一回の報告したＲＩ値に基づいてＰＭＩ及びＣＱＩを確定する。
【００５２】
設定情報にＰＭＩ参照モードの設定情報が含まれ、且つＰＭＩ参照モードが現行モードではない場合、現行モードはＰＭＩを報告しないか、または現行モードにより報告するＰＭＩ値はＰＭＩ参照モードにおける最後一回の報告したＰＭＩ値と等しく、且つ現行モードは、ＰＭＩ参照モードにおける最後一回の報告したＰＭＩ値に基づいてＣＱＩを確定する（計算の際に基づくＲＩはＰＭＩにより暗示的に確定することができ、即ち、ＣＱＩ計算の際に基づくＲＩはＰＭＩ計算の際に基づくＲＩと同一である）。
【００５３】
設定情報にＲＩ参照モードの設定情報が含まれず、またはＲＩ参照モードが現行モードである場合、モードに対応するＣＳＩ-ＲＳリソースにおいて推測したチャネル状態情報及び干渉測定リソースにおいて推測した干渉に基づいて、現行モードにおける報告すべきＲＩを確定する。
【００５４】
ここで、現行モードは、ＲＩ参照モードにおける最後一回の報告したＲＩ値に基づいて、ＰＭＩ及びＣＱＩを確定することは、以下のようである。
設定情報にＰＭＩ参照モードの設定情報が含まれないか、またはＰＭＩ参照モードが現行モードである場合、ＲＩ参照モードまたは現行モードの最後一回の報告したＲＩ値、干渉測定リソースにおいて推測した干渉及び現行モードに対応するＣＳＩ-ＲＳリソースにおいて推測したチャネル状態情報に基づいて、現行モードにおける報告すべきＰＭＩを確定する。現行モードの最後一回の報告したＰＭＩ値、干渉測定リソースにおいて推測した干渉及び現行モードに対応するＣＳＩ-ＲＳリソースにおいて推測したチャネル状態情報に基づいて、現行モードにおける報告すべきＣＱＩを確定する。
【００５５】
現行モードは、ＰＭＩ参照モードにおける最後一回の報告したＰＭＩ値に基づいて、ＣＱＩを確定することは、以下のようである。
ＰＭＩ参照モードまたは現行モードの最後一回の報告したＰＭＩ値、干渉測定リソースにおいて推測した干渉及び現行モードに対応するＣＳＩ-ＲＳリソースにおいて推測したチャネル状態情報に基づいて、現行モードにおける報告すべきＣＱＩを確定する。
【００５６】
具体的に、UＥが１つのモードの設定情報を受信した後に、当該モードにおける報告すべきコンテンツを確定することができる。１つのモードの設定情報にＲＩ参照モードの設定情報が含まれ、且つ当該参照モードが現行モードではない場合、現行モードがＲＩを報告しないか、または現行モードにより報告するＲＩは、ＲＩ参照モードの最後一回の報告したＲＩ値と等しい。現行モードがＰＭＩ及びＣＱＩを計算する際に、ＲＩ参照モードの最後一回の報告したＲＩ値を用いる。１つのモードの設定情報にＰＭＩ参照モードリストが含まれ、且つ当該参照モードリストに現行モードを含まない場合、現行モードはＰＭＩを報告しないか、または現行モードにおいて報告するＰＭＩは、ＰＭＩ参照モードの最後一回の報告したＰＭＩ値と等しい。現行モードがＣＱＩを計算する際に、参照モードリストにおけるモードの最後一回の報告したＰＭＩを用いて計算する。
【００５７】
UＥは、報告する際に、報告すべきパラメータを確定する。
【００５８】
報告ＲＩのサブフレームにおいて、ＲＩ参照モードが設定され、且つＲＩ報告が必要な場合、ＲＩをＲＩ参照モードの最後一回の報告したＲＩと等しくして報告する。ＲＩ参照モードが設定されていないか、または設定したＲＩ参照モードが自身である場合、モードに対応するＣＳＩ-ＲＳリソースにおいて推測したチャネル状態情報及び干渉測定リソースにおいて推測した干渉に基づいて、現行モードにおける報告すべきＲＩを確定する。
【００５９】
報告ＰＭＩのサブフレームにおいて、ＰＭＩ参照モードが設定されていないか、またはＰＭＩ参照モードが現行モードであれば、UＥは、現行報告に対応するＣＳＩ-ＲＳリソース指標情報に対応する伝送ポイントからデータが発送されると仮定し（上記ＣＳＩ-ＲＳリソースから推測したチャネルで計算する）、且つＲＩ参照モード（または現行モード）の最後一回の報告したＲＩ及び干渉測定リソースにおいて測定した干渉に基づいて、報告すべきＰＭＩを算出して報告する。ＰＭＩ参照モードが設定され、且つＰＭＩ報告が必要であれば、ＰＭＩをＰＭＩ参照モードの最後一回の報告したＰＭＩと等しくして報告する。
【００６０】
報告ＣＱＩのサブフレームにおいて、假定データが、現行報告に対応するＣＳＩ-ＲＳリソース指標情報に対応する伝送ポイントから発送され（上記ＣＳＩ-ＲＳリソースにおいて推測したチャネルに基づいて計算する）、干渉測定リソースにおいて推測した干渉に基づいて、ＰＭＩ参照モード（または現行モード）の最後一回の報告したＰＭＩに対応するプリコーディング・マトリックスを用いて、報告すべきＣＱＩを算出して報告する。現行モードにおて、ＰＭＩ報告がない、かつＰＭＩ参照モードが設定されていない場合（例えば、開ループ伝送）、ＣＱＩは、ＲＩ参照モード（または現行モード）の最後一回の報告したＲＩに基づいて算出される。
【００６１】
最後一回の報告とは、報告時刻前の最後一回の報告を指し、報告時刻の報告も含まれる。
【００６２】
２種のモードが同一のサブフレームに位置して報告する場合、２種のモードの報告コンテンツを合併して、同一のＰUＣＣHにおいて合併後の報告コンテンツを伝送することができる。または、２種のモードの報告コンテンツの優先レベルを比較し、優先レベルが低い報告コンテンツを放棄し、優先レベルが高い報告コンテンツのみを報告する。
【００６３】
以下、具体的な実施例により、本出願に係る実施例のセル間協調送受信のフィードバック方法を説明する。
【００６４】
〈実施例１〉
基地局はUＥのためにＭ１及びＭ２との２つの報告モードを設定する。Ｍ１及びＭ２に対応するＣＳＩ-ＲＳリソースそれぞれは、ＣＳＩ-ＲＳ１及びＣＳＩ-ＲＳ２であり、即ち、Ｍ１及びＭ２は、それぞれ２つの伝送ポイントのチャネル状態情報を報告する。
【００６５】
Ｍ２のＲＩ参照モードはＭ１であり、即ち、Ｍ２により報告したＰＭＩ/ＣＱＩは、Ｍ１最後一回の報告したＲＩに基づいて算出したものである。Ｍ２モード自身はＲＩを報告しない。Ｍ１のＲＩ参照モードは自身であり（またはＲＩ参照モードを設定しない。この場合、ＲＩ参照モードを自身としてデフォルトする）、即ちＭ１はＲＩを報告する。
【００６６】
UＥは、ＣＳＩ-ＲＳ１に基づいてチャネル状態情報を推測し、干渉測定リソースにより得た干渉と結合して、ＲＩを算出して報告する。Ｍ１及びＭ２のＰＭＩ参照モードは自身であり（またはＰＭＩ参照モードを設定せず、ＰＭＩ参照モードを自身としてデフォルトする）、UＥは、確定したＲＩ、及びＣＳＩ-ＲＳ１及びＣＳＩ-ＲＳ２により推測したチャネル状態情報それぞれに基づいて、２つのモードにより報告すべきＰＭＩを算出して報告する。
【００６７】
図２に示すように、図２における２つのモードにあって、広帯域ＣＱＩ/ＰＭＩ報告が設定され、図２の矢印は、報告コンテンツ間の依存関係を示し、図２の四角な枠は報告するサブフレームを示す。
【００６８】
図３に示すように、Ｍ１には広帯域ＣＱＩ/ＰＭＩ報告が設定される一方、Ｍ２にはサブバンドＣＱＩ報告が設定されている。即ち、Ｍ２の報告コンテンツは、広帯域ＰＭＩ/ＣＱＩ及びサブバンドＣＱＩを含む。広帯域ＰＭＩは、Ｍ１の最後一回の報告したＲＩに基づいて計算し、広帯域ＣＱＩは、Ｍ２の同一のサブフレームにおいて報告したＰＭＩに基づいて計算する。サブバンドＣＱＩは、モードＭ２の最後一回の報告した広帯域ＰＭＩに基づいて計算する（ＲＩは、広帯域ＰＭＩから暗示的に確定することができる）。
【００６９】
〈実施例２〉
基地局はUＥのためにＭ１及びＭ２との２つのフィードバックモードを設定。Ｍ１及びＭ２に対応するＣＳＩ-ＲＳリソースは、ＣＳＩ-ＲＳ１であり、Ｍ１及びＭ２の干渉測定リソースは、それぞれ干渉測定リソース（Ｉｎｔｅｒｆｅｒｅｎｃｅ ＭｅａＳｕｒｅｍｅｎｔ ＲｅＳｏｕｒｃｅ，ＩＭＲ）１及びＩＭＲ２である。即ち、Ｍ１及びＭ２は、２つの異なる干渉状態場合の同一伝送ポイント在のチャネル状態情報を報告する。
【００７０】
Ｍ２のＰＭＩ参照モードはＭ１であり、即ち、Ｍ２により報告するＣＱＩは、Ｍ１の最後一回の報告したＰＭＩ（広帯域ＰＭＩに限定することができる）に基づいて算出したものである。Ｍ２モード自身はＰＭＩを報告しない。Ｍ１のＰＭＩ参照モードは自身であり（またはＰＭＩ参照モードを設定しない。この場合、ＰＭＩ参照モードを自身としてデフォルトする）。即ち、Ｍ１はＰＭＩを報告し、UＥは、ＣＳＩ-ＲＳ１に基づいてチャネル状態情報を推測し、干渉測定リソースＩＭＲ１から得た干渉と結合して、ＰＭＩを算出して報告する。
【００７１】
こととき、Ｍ２のＲＩ参照モードは、Ｍ１に設定されるか、またはＲＩ参照モードを設定しない。UＥがＣＱＩを計算する際に用いるＲＩは、Ｍ１の最後一回の報告したＰＭＩにより確定できる（報告したＰＭＩは、ＲＩと関わるため、ＰＭＩが確定できれば、ＲＩも暗示的に分かる）。
【００７２】
図４に示すように、２つのモードに広帯域ＣＱＩ/ＰＭＩ報告が設定されている。図４における矢印は報告コンテンツ間の依存関係を示し、図４の四角な枠は報告するサブフレームを示す。
【００７３】
図５に示すように、図５のＭ１には、広帯域ＣＱＩ/ＰＭＩ報告が設定されている一方、Ｍ２にはサブバンドＣＱＩ報告が設定されている。Ｍ２の報告コンテンツは、広帯域ＣＱＩ及びサブバンドＣＱＩを含む。広帯域ＣＱＩ、またはサブバンドＣＱＩは、Ｍ１の最後一回の報告したＰＭＩに基づいて計算する。
【００７４】
〈実施例３〉
基地局はUＥのためにＭ１、Ｍ２及びＭ３との３つのフィードバックモードを設定する。Ｍ１の場合設定したＣＳＩ-ＲＳリソースはＣＳＩ-ＲＳ１であり、干渉測定リソースは、ＩＭＲ１である。Ｍ２及びＭ３の場合設定したＣＳＩ-ＲＳリソースはＣＳＩ-ＲＳ２であり、Ｍ２及びＭ３の干渉測定リソースは、それぞれＩＭＲ２及びＩＭＲ３である。即ち、Ｍ２及びＭ３は、２つの異なる干渉状態の同一伝送ポイントのチャネル状態情報をそれぞれ報告し、Ｍ１は、他の１つの伝送ポイントのチャネル状態情報を報告する。
【００７５】
図６に示すように、Ｍ１のＲＩ参照モードは自身であり（またはＲＩ参照モードを設定しない。このとき、ＲＩ参照モードを自身としてデフォルトする）、即ち、Ｍ１はＲＩを報告し、UＥは、ＣＳＩ-ＲＳ１に基づいてチャネル状態情報を推測し、干渉測定リソースＩＭＲ１から得た干渉と結合して、ＲＩを算出して報告する。
【００７６】
Ｍ１のＰＭＩ参照モードは自身であり（またはＰＭＩ参照モードを設定しない。このとき、ＰＭＩ参照モードを自身としてデフォルトする）、即ち、Ｍ１はＰＭＩを報告し、UＥは、ＣＳＩ-ＲＳ１に基づいてチャネル状態情報を推測し、干渉測定リソースＩＭＲ１から得た干渉と結合して、最後一回の報告したＲＩ、ＰＭＩを算出して報告する。
【００７７】
Ｍ２のＲＩ参照モードがＭ１であり、Ｍ２のＰＭＩ参照モードは自身である。即ち、Ｍ２により報告するＰＭＩは、Ｍ１の最後一回の報告したＲＩに基づいて算出したものである。Ｍ２モード自身は、ＲＩを報告しない。
【００７８】
Ｍ３のＰＭＩ参照モードはＭ２であり、即ちＭ３により報告したＣＱＩは、Ｍ２の最後一回の報告したＰＭＩ（広帯域ＰＭＩに限定することができる）に基づいて算出したものであり、Ｍ３モード自身は、ＰＭＩを報告しない。Ｍ３の場合ＲＩ参照モードを設定しない。UＥがＣＱＩを計算する場合に用いるＲＩは、Ｍ２の最後一回の報告したＰＭＩにより確定する（報告したＰＭＩはＲＩと関わるため、ＰＭＩを確定することにより、ＲＩも暗示的に確定できる）。
【００７９】
本実施例において、Ｍ３及びＭ１に一部報告コンテンツは、同一のサブフレームに設定される可能性のあるが、この場合は２つの処理方法がある。
処理方法１
２つのモードの報告コンテンツを合併して、同一のＰUＣＣHにおいて伝送する。
処理方法２
一定の優先レベル順番に従い、低優先レベルの報告コンテンツを放棄し、高優先レベルの報告コンテンツのみを報告する。図６において、ＲＩの優先レベルはＣＱＩより高いため、Ｔ３報告を放棄した。
【００８０】
〈実施例５〉
基地局は、UＥのためにＭ１、Ｍ２及びＭ３との３つのフィードバックモードを設定する。Ｍ１の場合設定したＣＳＩ-ＲＳリソースはＣＳＩ-ＲＳ１であり、干渉測定リソースはＩＭＲ１である。Ｍ２の場合設定したＣＳＩ-ＲＳリソースはＣＳＩ-ＲＳ２であり、Ｍ２の干渉測定リソースはＩＭＲ２である。即ち、Ｍ１及びＭ２は、２つの伝送ポイントのチャネル状態情報をそれぞれ報告する。Ｍ３の場合設定したＣＳＩ-ＲＳリソースは、ＣＳＩ-ＲＳ１及びＣＳＩ-ＲＳ２を含む。Ｍ３の干渉測定リソースはＩＭＲ３であり、即ちＭ３は、２つの伝送ポイントがジョイント伝送を行なう場合のＣＱＩを報告する。
【００８１】
図7に示すように、Ｍ１のＲＩ参照モードは自身であり、即ちＭ１はＲＩを報告し、UＥは、ＣＳＩ-ＲＳ１からチャネル状態情報を推測し、干渉測定リソースＩＭＲ１から得た干渉と結合して、ＲＩを算出して報告する。Ｍ１のＰＭＩ参照モードは自身であり、即ちＭ１はＰＭＩを報告し、UＥは、ＣＳＩ-ＲＳ１に基づいてチャネル状態情報を推測し、干渉測定リソースＩＭＲ１から得た干渉と結合して、最後一回の報告したＲＩ，ＰＭＩを算出して報告する。
【００８２】
Ｍ２のＲＩ参照モードはＭ１であり、Ｍ２のＰＭＩ参照モードは自身である。即ち、Ｍ２により報告するＰＭＩは、Ｍ１の最後一回の報告したＲＩに基づいて算出したものである。Ｍ２モード自身は、ＲＩを報告しない。
【００８３】
Ｍ３のＰＭＩ参照モードは、Ｍ１及びＭ２を含み、即ちＭ３により報告するＣＱＩは、Ｍ１及びＭ２のそれぞれの最後一回の報告したＰＭＩ（広帯域ＰＭＩに限定することができる）に基づいて算出したものである。Ｍ３モード自身はＰＭＩを報告しない。
【００８４】
図7において、ＲＩの優先レベルがＣＱＩの優先レベルより高いため、Ｍ３及びＭ１の報告コンテンツに同一のサブフレームに設定する場合、Ｔ３報告を放棄する。
【００８５】
本出願に係る実施例は、セル間協調送受信のフィードバック方法も提供し、図８に示すように、ステップＳ８０１と、ステップＳ８０２と、ステップＳ８０３とを備える。
【００８６】
ステップＳ８０１において、ユーザー端末へ設定情報を送信し、設定情報には、設定した少なくとも２つのモードにおけるモード間参照関係が含まれる。
【００８７】
ステップＳ８０２において、ユーザー端末フィードバックにあたり、現行モードの構成に基づいて行なった前記現行モードにおけるパラメータが含まれるチャネル状態情報フィードバックを受信するか、または前記現行モードにおけるパラメータ及び現行モードの参照モードにおけるパラメータが含まれるチャネル状態情報フィードバックを受信する。
【００８８】
ステップＳ８０３において、現行モードがフィードバックしたパラメータ、または現行モードがフィードバックしたパラメータ及び現行モードの参照モードがフィードバックしたパラメータに基づいて、チャネル状態情報を確定する。
【００８９】
ここで、ユーザー端末へ送信する設定情報のうち、各モードの設定情報は、下記の一つまたはその組み合わせである。
【００９０】
ＰUＣＣHリソース情報、ＣＱＩ/ＰＭＩ/ＲＩサブフレーム設定情報、ＣＱＩ/ＰＭＩ報告フォーマット、ＣＳＩ-ＲＳリソース指標、干渉測定リソース指標。
【００９１】
設定したモードにおいて、他のモードを参照してチャネル状態情報をフィードバックする必要がある場合、当該モードの設定情報は、ＰＭＩ参照モードの設定情報及びＲＩ参照モードの設定情報のうちの少なくとも一つをさらに含む。
【００９２】
ＰＭＩ参照モード及びＲＩ参照モードのうちの少なくとも一つの設定を容易に進ませるため、設定情報にはモードインデックスが含まれる。
【００９３】
ＰＭＩ参照モードの設定情報及びＲＩ参照モードの設定情報のうちの少なくとも一つの設定情報は、参照するモードのモードインデックス番号であるか、または参照するモードのモードインデックスに対応する位置に標識つけたビットマップである。
【００９４】
ステップＳ８０３において、現行モードがフィードバックしたパラメータ及び現行モードの参照モードがフィードバックしたパラメータに基づいて、下記のようにチャネル状態情報を確定する。
【００９５】
現行モードの設定情報にＲＩ参照モードの設定情報が含まれ、且つ参照するモードが現行モードではない場合、現行モードにおける報告するＰＭＩ及びＣＱＩは、ＲＩ参照モードにおける最後一回の報告したＲＩ値に基づいて確定したものである。現行モードにおいてＰＭＩを報告する場合、チャネル状態情報に、現行モードにおいて報告するＰＭＩ、ＣＱＩ及びＲＩ参照モードにおける最後一回の報告したＲＩ値が含まれることを確定する。現行モードにおいてＣＱＩを報告し、且つ現行モードにおいて報告するＣＱＩが、ＲＩ参照モードにおける最後一回の報告したＲＩ値に基づいて確定される場合、チャネル状態情報に、現行モードにおいて報告するＣＱＩ及びＲＩ参照モードにおける最後一回の報告したＲＩ値が含まれることが確定できる。現行モードにおいてＣＱＩを報告し、且つ現行モードにおいて報告するＣＱＩが、ＲＩ参照モードにおける最後一回の報告したＲＩ値及び現行モードの最後一回の報告したＰＭＩに基づいて確定される場合、チャネル状態情報に、現行モードにおいて報告するＣＱＩ、現行モードの最後一回の報告したＰＭＩ及びＲＩ参照モードにおける最後一回の報告したＲＩ値が含まれることが確定される。
【００９６】
現行モードの設定情報にＰＭＩ参照モードの設定情報が含まれ、且つ参照するモードが現行モードではない場合、現行モードにおいて報告するＣＱＩは、ＰＭＩ参照モードにおける最後一回の報告したＰＭＩ値に基づいて確定されるものである。チャネル状態情報に、現行モードにおいて報告するＣＱＩ及びＰＭＩ参照モードにおける最後一回の報告したＰＭＩ値が含まれることが確定される。
【００９７】
ここで、現行モードにおいて報告するＰＭＩ及びＣＱＩは以下のようにＲＩ参照モードにおける最後一回の報告したＲＩ値に基づいて確定される。
現行モードの設定情報にＰＭＩ参照モードが含まれないか、または参照するモードが現行モードである場合、現行モードにおいて報告するＰＭＩは、ＲＩ参照モードまたは現行モードの最後一回の報告したＲＩ値、干渉測定リソースにおいて推測した干渉及び現行モードに対応するＣＳＩ-ＲＳリソースにおいて推測したチャネル状態情報に基づいて確定される。現行モードにおいて報告するＣＱＩは、ユーザー端末が現行モードの最後一回の報告したＰＭＩ値、干渉測定リソースにおいて推測した干渉及び現行モードに対応するＣＳＩ-ＲＳリソースにおいて推測したチャネル状態情報に基づいて確定された。
【００９８】
現行モードにおいて報告するＣＱＩは、下記のようにＰＭＩ参照モードにおける最後一回の報告したＰＭＩ値に基づいて確定される。
現行モードにおいて報告するＣＱＩは、ＰＭＩ参照モードまたは現行モードの最後一回の報告したＰＭＩ値、干渉測定リソースにおいて推測した干渉及び現行モードに対応するＣＳＩ-ＲＳリソースにおいて推測したチャネル状態情報に基づいて確定される。
【００９９】
２種のモードが同一のサブフレームに位置して報告する場合、ユーザー端末は、２種のモードの報告コンテンツを合併して、同一のＰUＣＣHにおいて合併後の報告コンテンツを伝送するか、またはユーザー端末は、２種のモードの報告コンテンツの優先レベルを比較し、優先レベルが低い報告コンテンツを放棄し、優先レベルが高い報告コンテンツのみを報告する。このとき、基地局は、同一のＰUＣＣHにおいて、複数のモードの報告コンテンツを合併して得た報告コンテンツを受信するか、または当該サブフレームにおいて、ユーザー端末が２種のモードの報告コンテンツの優先レベルを比較し、優先レベルが低い報告コンテンツを放棄した後、報告した優先レベルが高い報告コンテンツを受信する。
【０１００】
これに応じて、本出願に係る実施例は、セル間協調送受信のフィードバック装置をさらに受信し、当該装置は、ユーザー端末であってもよい。図９に示すように、当該装置は、参照関係確定ユニット９０１と、パラメータ確定ユニット９０２と、フィードバックユニット９０３とを備える。
【０１０１】
参照関係確定ユニット９０１は、基地局からの設定情報に基づいて、設定した少なくとも２つのモードにおけるモード間参照関係を確定する。
【０１０２】
パラメータ確定ユニット９０２は、フィードバックにあたり、モード間参照関係に基づいて、参照モードにおけるパラメータにより、現行モードにおけるパラメータを確定する。
【０１０３】
フィードバックユニット９０３は、現行モードの構成に基づいて、現行モードにおけるパラメータを含むチャネル状態情報をフィードバックする。
【０１０４】
ここで、基地局により設定した少なくとも２つのモードにおいては、各モードの設定情報は、下記の一つまたはその組み合わせである。
【０１０５】
ＰUＣＣHリソース情報、ＣＱＩ/ＰＭＩ/ＲＩサブフレーム設定情報、ＣＱＩ/ＰＭＩ報告フォーマット、ＣＳＩ-ＲＳリソース指標、干渉測定リソース指標。
【０１０６】
設定したモードにおいて、他のモードを参照してチャネル状態情報をフィードバックする必要がある場合、当該モードの設定情報は、ＰＭＩ参照モードの設定情報及びＲＩ参照モードの設定情報のうちの少なくとも一つをさらに含む。
【０１０７】
ＰＭＩ参照モード及びＲＩ参照モードのうちの少なくとも一つの設定を容易に進ませるために、設定情報にはモードインデックスがさらに含まれる。
【０１０８】
このとき、ＰＭＩ参照モードの設定情報及びＲＩ参照モードの設定情報のうちの少なくとも一つの設定情報は、参照するモードのモードインデックス番号であるか、または参照するモードのモードインデックスに対応する位置に標識つけたビットマップである。
【０１０９】
パラメータ確定ユニット９０２は、当設定情報にＲＩ参照モードが含まれ、且つＲＩ参照モードが現行モードではなく、ＲＩを報告するサブフレームにおいてＲＩを報告する必要がある場合、現行モードにより報告するＲＩ値がＲＩ参照モードにおける最後一回の報告したＲＩ値と等しいことを確定して報告する。
【０１１０】
パラメータ確定ユニット９０２は、設定情報にＲＩ参照モードが含まれ、且つＲＩ参照モードが現行モードではなく、さらに、ＰＭＩを報告するサブフレームにおいてＰＭＩを報告する場合、ＲＩ参照モードの最後一回の報告したＲＩに基づいて報告すべきＰＭＩを確定する。
【０１１１】
パラメータ確定ユニット９０２がＲＩ参照モードの最後一回の報告したＲＩに基づいて報告すべきＰＭＩを確定するのは、具体的に下記のことを含む。
設定情報にＰＭＩ参照モードが含まれないか、またはＰＭＩ参照モードが現行モードである場合、ＲＩ参照モードの最後一回の報告したＲＩ値、干渉測定リソースにおいて推測した干渉及び現行モードに対応するＣＳＩ-ＲＳリソースにおいて推測したチャネル状態情報に基づいて、現行モードにおける報告すべきＰＭＩを確定する。
【０１１２】
パラメータ確定ユニット９０２は、設定情報にＲＩ参照モードの設定情報が含まれ、且つＲＩ参照モードが現行モードではなく、さらにＣＱＩを報告するサブフレームにおいてＣＱＩを報告すべき場合、ＲＩ参照モードの最後一回の報告したＲＩ報告すべきＣＱＩを確定する。
【０１１３】
パラメータ確定ユニット９０２がＲＩ参照モードの最後一回の報告したＲＩに基づいて報告すべきＣＱＩを確定するのは、下記のことを含む。
【０１１４】
現行モードの最後一回の報告したＲＩ値、干渉測定リソースにおいて推測した干渉及び現行モードに対応するＣＳＩ-ＲＳリソースにおいて推測したチャネル状態情報に基づいて、現行モードにおける報告すべきＣＱＩを確定する。
【０１１５】
または、ＲＩ参照モードにおける最後一回の報告したＲＩ値、現行モードの最後一回の報告したＰＭＩ、干渉測定リソースにおいて推測した干渉及び現行モードに対応するＣＳＩ-ＲＳリソースにおいて推測したチャネル状態情報に基づいて、現行モードにおける報告すべきＣＱＩを確定する。
【０１１６】
パラメータ確定ユニット９０２は、設定情報にＰＭＩ参照モードの設定情報が含まれ、且つＰＭＩ参照モードが現行モードではなく、ＰＭＩを報告するサブフレームにおいてＰＭＩを報告する場合、ＰＭＩ値がＰＭＩ参照モードの最後一回の報告したＰＭＩ値と等しいことを確定する。
【０１１７】
パラメータ確定ユニット９０２は、設定情報にＰＭＩ参照モードの設定情報が含まれ、且つＰＭＩ参照モードが現行モードではなく、さらにＣＱＩを報告するサブフレームにおいてＣＱＩを報告すべき場合、ＰＭＩ参照モードの最後一回の報告したＰＭＩに対応するプリコーディング・マトリックスに基づいて、報告すべきＣＱＩを確定する。
【０１１８】
パラメータ確定ユニット９０２は、設定情報にＲＩ参照モードの設定情報が含まれ、且つＲＩ参照モードが現行モードではない場合、現行モードがＲＩを報告しないか、または現行モードにより報告するＲＩ値はＲＩ参照モードにおける最後一回の報告したＲＩ値と等しいであり、且つ現行モードは、ＲＩ参照モードにおける最後一回の報告したＲＩ値に基づいてＰＭＩ及びＣＱＩを確定する。
【０１１９】
パラメータ確定ユニット９０２は、設定情報にＰＭＩ参照モードの設定情報が含まれ、且つＰＭＩ参照モードが現行モードではない場合、現行モードはＰＭＩを報告しないか、または現行モードにより報告するＰＭＩ値はＰＭＩ参照モードにおける最後一回の報告したＰＭＩ値と等しく、且つ現行モードは、ＰＭＩ参照モードにおける最後一回の報告したＰＭＩ値に基づいてＣＱＩを確定する。
【０１２０】
パラメータ確定ユニット９０２は、設定情報にＲＩ参照モードの設定情報が含まれず、またはＲＩ参照モードが現行モードである場合、モードに対応するＣＳＩ-ＲＳリソースにおいて推測したチャネル状態情報及び干渉測定リソースにおいて推測した干渉に基づいて、現行モードにおける報告すべきＲＩを確定する。
【０１２１】
ここで、パラメータ確定ユニット９０２が現行モードの、ＲＩ参照モードにおける最後一回の報告したＲＩ値に基づいて、ＰＭＩ及びＣＱＩを確定するのは、下記のことを含む。
【０１２２】
設定情報にＰＭＩ参照モードの設定情報が含まれないか、またはＰＭＩ参照モードが現行モードである場合、ＲＩ参照モードまたは現行モードの最後一回の報告したＲＩ値、干渉測定リソースにおいて推測した干渉及び現行モードに対応するＣＳＩ-ＲＳリソースにおいて推測したチャネル状態情報に基づいて、現行モードにおける報告すべきＰＭＩを確定する。現行モードの最後一回の報告したＰＭＩ値、干渉測定リソースにおいて推測した干渉及び現行モードに対応するＣＳＩ-ＲＳリソースにおいて推測したチャネル状態情報に基づいて、現行モードにおける報告すべきＣＱＩを確定する。
【０１２３】
パラメータ確定ユニット９０２が現行モードのＰＭＩ参照モードにおける最後一回の報告したＰＭＩ値に基づいて、ＣＱＩを確定するのは、下記のことを含む。
【０１２４】
ＰＭＩ参照モードまたは現行モードの最後一回の報告したＰＭＩ値、干渉測定リソースにおいて推測した干渉及び現行モードに対応するＣＳＩ-ＲＳリソースにおいて推測したチャネル状態情報に基づいて、現行モードにおける報告すべきＣＱＩを確定する。
【０１２５】
フィードバックユニット９０３は、２種のモードが同一のサブフレームに位置して報告する場合、２種のモードの報告コンテンツを合併して、同一のＰUＣＣHにおいて合併後の報告コンテンツを伝送するか、または２種のモードの報告コンテンツの優先レベルを比較し、優先レベルが低い報告コンテンツを放棄し、優先レベルが高い報告コンテンツのみを報告する。
【０１２６】
本出願に係る実施例は、セル間協調送受信のフィードバック装置をさらに提供する。当該装置は基地局であってもよい。図１０に示すように、当該装置は、設定ユニットと、受信ユニットと、確定ユニットとを備える。
【０１２７】
設定ユニット１００１は、ユーザー端末へ設定情報を送信し、設定情報には、設定した少なくとも２つのモードにおけるモード間参照関係が含まれる。
【０１２８】
受信ユニット１００２は、ユーザー端末フィードバックにあたり、現行モードの構成に基づいて行なった前記現行モードにおけるパラメータが含まれるチャネル状態情報フィードバックを受信するか、または前記現行モードにおけるパラメータ及び現行モードの参照モードにおけるパラメータが含まれるチャネル状態情報フィードバックを受信する。
【０１２９】
確定ユニット１００３は、現行モードがフィードバックしたパラメータ、または現行モードがフィードバックしたパラメータ及び現行モードの参照モードがフィードバックしたパラメータに基づいて、チャネル状態情報を確定する。
【０１３０】
ここで、ユーザー端末へ送信する設定情報のうち、各モードの設定情報は、下記の一つまたはその組み合わせである。
【０１３１】
ＰUＣＣHリソース情報、ＣＱＩ/ＰＭＩ/ＲＩサブフレーム設定情報、ＣＱＩ/ＰＭＩ報告フォーマット、ＣＳＩ-ＲＳリソース指標、干渉測定リソース指標。
【０１３２】
設定したモードにおいて、他のモードを参照してチャネル状態情報をフィードバックする必要がある場合、当該モードの設定情報は、ＰＭＩ参照モードの設定情報及びＲＩ参照モードの設定情報のうちの少なくとも一つをさらに含む。
【０１３３】
ＰＭＩ参照モード及びＲＩ参照モードのうちの少なくとも一つの設定を容易に進ませるため、設定情報には、モードインデックスがさらに含まれる。
【０１３４】
ＰＭＩ参照モードの設定情報及びＲＩ参照モードの設定情報のうちの少なくとも一つの設定情報は、参照するモードのモードインデックス番号であるか、または参照するモードのモードインデックスに対応する位置に標識つけたビットマップである。
【０１３５】
確定ユニット１００３は、現行モードの設定情報にＲＩ参照モードの設定情報が含まれ、且つ参照するモードが現行モードではない場合、現行モードにおける報告するＰＭＩ及びＣＱＩが、ＲＩ参照モードにおける最後一回の報告したＲＩ値に基づいて確定されることを確定する。現行モードにおいてＰＭＩを報告する場合、チャネル状態情報に、現行モードにおいて報告するＰＭＩ、ＣＱＩ及びＲＩ参照モードにおける最後一回の報告したＲＩ値が含まれることを確定する。現行モードにおいてＣＱＩを報告し、且つ現行モードにおいて報告するＣＱＩが、ＲＩ参照モードにおける最後一回の報告したＲＩ値に基づいて確定される場合、チャネル状態情報に、現行モードにおいて報告するＣＱＩ及びＲＩ参照モードにおける最後一回の報告したＲＩ値が含まれることが確定できる。現行モードにおいてＣＱＩを報告し、且つ現行モードにおいて報告するＣＱＩが、ＲＩ参照モードにおける最後一回の報告したＲＩ値及び現行モードの最後一回の報告したＰＭＩに基づいて確定される場合、チャネル状態情報に、現行モードにおいて報告するＣＱＩ、現行モードの最後一回の報告したＰＭＩ及びＲＩ参照モードにおける最後一回の報告したＲＩ値が含まれることが確定される。
【０１３６】
確定ユニット１００３は、現行モードの設定情報にＰＭＩ参照モードの設定情報が含まれ、且つ参照するモードが現行モードではない場合、現行モードにおいて報告するＣＱＩが、ＰＭＩ参照モードにおける最後一回の報告したＰＭＩ値に基づいて確定されることを確定する。チャネル状態情報に、現行モードにおいて報告するＣＱＩ及びＰＭＩ参照モードにおける最後一回の報告したＰＭＩ値が含まれることが確定される。
【０１３７】
複数のモードの報告が同一のサブフレーム二おいて発生される場合、受信ユニット１００２は、同一のＰUＣＣHにおいて、複数のモードの報告コンテンツを合併した報告コンテンツを受信する。
【０１３８】
または、当該サブフレームにおいて、ユーザー端末が２種のモードの報告コンテンツの優先レベルを比較し、優先レベルが低い報告コンテンツを放棄した後、報告した優先レベルが高い報告コンテンツを受信する。
【０１３９】
本出願に係る実施例は、セル間協調送受信のフィードバックシステムを提供する。図１１に示すように、基地局１１０１と、ユーザー端末１１０２とを備える。
【０１４０】
ユーザー端末１１０１は、基地局１１０２から送信した設定情報に基づいて、設定した少なくとも２つのモードにおけるモード間参照関係を確定し、フィードバックにあたり、モード間参照関係に基づいて、参照モードにおけるパラメータにより、現行モードにおけるパラメータを確定し、且つ現行モードの構成に基づいて、現行モードにおけるパラメータを含むチャネル状態情報をフィードバックする。
【０１４１】
基地局１１０２は、ユーザー端末１１０１へ設定情報を送信し、設定情報には、設定した少なくとも２つのモードにおけるモード間参照関係が含まれ、ユーザー端末１１０１フィードバックにあたり、現行モードの設定に基づいて行なった前記現行モードにおけるパラメータが含まれるチャネル状態情報フィードバック、または前記現行モードにおけるパラメータ及び現行モードの参照モードにおけるパラメータが含まれるチャネル状態情報フィードバックを受信し、前記現行モードがフィードバックしたパラメータ、または現行モードがフィードバックしたパラメータ及び現行モードの参照モードがフィードバックしたパラメータに基づいて、チャネル状態情報を確定する。
【０１４２】
本出願に係る実施例は、セル間協調送受信のフィードバック方法、装置及びシステムを提供し、基地局からの設定情報に基づいて、設定した少なくとも２つのモードにおけるモード間参照関係を確定し、且つモード間参照関係に基づいて、参照モードにおけるパラメータにより、現行モードにおけるパラメータを確定する。これにより、複数の異なる干渉仮説のＣＱＩ間に、ＰＭＩ/ＲＩ情報を共有することを実現し、及び異なる伝送ポイント間のＲＩ情報共有も実現する。そうして、複数のフィードバックモード間に依存関係があるようになる。
【０１４３】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１４４】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１４５】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１４６】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１４７】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１４８】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１４９】
９０１  参照関係確定ユニット
９０２  パラメータ確定ユニット
９０３  フィードバックユニット
１００１  設定ユニット
１００２  受信ユニット
１００３  確定ユニット
１１０１  基地局
１１０２  ユーザー端末
【図１】
0005976207.tif 000003
【図２】
0005976207.tif 000004
【図３】
0005976207.tif 000005
【図４】
0005976207.tif 000006
【図５】
0005976207.tif 000007
【図６】
0005976207.tif 000008
【図７】
0005976207.tif 000009
【図８】
0005976207.tif 000010
【図９】
0005976207.tif 000011
【図１０】
0005976207.tif 000012
【図１１】
0005976207.tif 000013